(57)【要約】【課題】コンバータレンズを備えたレンズ交換式の撮像装置において、できる限り低いＦ値で動画撮影しつつ、周辺光量落ちによる見難い動画の撮影を防止できる。【解決手段】コンバータレンズを有する撮像装置において、表示装置を有し、交換式レンズを着脱可能に保持するマウント部を有し、特定のＦ値より前記交換式レンズのＦ値を下げるときに、前記表示装置に周辺光量が不足しない範囲を周辺光量枠により表示し、前記周辺光量枠の内側にある被写体を検出する被写体検出部を有し、被写体検出部の検出結果により前記被写体を囲うように表示する被写体枠を前記表示装置に表示し、前記被写体枠の枠線が前記周辺光量枠の枠線を越えたときに、前記交換式レンズのＦ値を上げ、前記周辺光量枠を拡大することを特徴とする。【選択図】図４
2019023682.tif 000002
【特許請求の範囲】
【請求項１】
コンバータレンズを有し、
表示装置を有し、
交換式レンズを着脱可能に保持するマウント部を有し、
特定のＦ値より前記交換式レンズのＦ値を下げるときに
前記表示装置に周辺光量が不足しない範囲を周辺光量枠により表示し、
前記周辺光量枠の内側にある被写体を検出する被写体検出部を有し、
被写体検出部の検出結果により前記被写体を囲うように表示する被写体枠を
前記表示装置に表示し、
前記被写体枠の枠線が前記周辺光量枠の枠線を越えたときに、
前記交換式レンズのＦ値を上げ、前記周辺光量枠を拡大することを特徴とする撮像装置。
【請求項２】
前記被写体の枠線が前記周辺光量枠の枠線と一定の距離以上離れたときに、
前記交換式レンズのＦ値を下げ、前記周辺光量枠を縮小することを特徴とする請求項１に記載の撮像装置。
【請求項３】
動画撮影中に、前記被写体枠の枠線が前記周辺光量枠の枠線を越えたときに、
前記交換式レンズのＦ値を上げ、前記周辺光量枠を拡大することを特徴とする請求項１に記載の撮像装置。
【請求項４】
動画撮影中に、前記被写体の枠線が前記周辺光量枠の枠線と一定の距離以上離れたときに、前記交換式レンズのＦ値を下げ、前記周辺光量枠を縮小することを特徴とする請求項２に記載の撮像装置。
【発明の詳細な説明】
【技術分野】
【０００１】
本発明は、コンバータレンズを備えたレンズ交換式のビデオカメラ等の撮像装置の制御方法に関する。
【背景技術】
【０００２】
レンズ交換式のビデオカメラ等の撮像装置では小型化を狙い、ＣＣＤやＣＭＯＳ等の撮像素子を小型化するといった手法が取られる。そのために、広く普及している撮像素子サイズより、小さいサイズの撮像素子を搭載するとことがある。しかし、これらのビデオカメラに、広く普及している撮像素子サイズ用に作られた交換レンズを装着して撮影を行った場合、交換レンズの光線の一部しか撮像素子で受光できず、広く普及している撮像素子を搭載したカメラに比べ画角が狭くなってしまうといった問題がある。
【０００３】
そこで画角を広くするためのコンバータレンズをカメラ本体内に備える技術が従来から知られている。また、画角を広くするためのコンバータレンズは画角を広くするだけではなく、交換式レンズとコンバータレンズを合わせた光学系全体のＦ値が下がり、明るく撮影できる。明るく撮影できるということは、撮影環境が暗い場合であってもＩＳＯ感度を抑えることができ、ノイズを少なく撮影できるといったメリットがある。
【０００４】
しかし、光学系全体のＦ値が下がることは、撮像素子の周辺部に入射する光線の入射角度が鋭角になる。撮像素子上に配列されたフォトダイオードは特定の範囲の角度から入射する光線は光電変換できるが、特定の範囲の外から入射する光線は光電変換し難い特性がある。そのため、入射角度が鋭角になる撮像素子の周辺部は暗い画像が撮影されてしまい、画角を広くするためのコンバータレンズを搭載したカメラでは周辺光量落ちを起こしやすい構成で有るといえる。
【０００５】
そこで、Ｆ値の変化による周辺光量落ちに対する提案として、測光部で輝度を測定し所定の輝度以下の場合は、Ｆ値の開口制限を解除する制御が提案されている（特許文献１）。
【先行技術文献】
【特許文献】
【０００６】
【特許文献１】特開２００３−１６７２８３号公報
【発明の概要】
【発明が解決しようとする課題】
【０００７】
先行技術文献に記載のある制御では所定の輝度以下のとき、つまり撮影環境が暗いときにＦ値の開口規制を解除する制御である。しかし、撮影環境が暗い場合であっても、特定の被写体が撮影領域の隅の周辺光量落ちを起こす部分に掛かっているときに動画撮影を行うと、被写体の一部が暗くなってしまい見難い動画が撮影されてしまう。
【０００８】
本発明は、上記のような問題を鑑みてなされたものであり、その目的は、できる限り低いＦ値で動画撮影しつつ、周辺光量落ちによる見難い動画の撮影を防止できる撮像装置を提供することにある。
【課題を解決するための手段】
【０００９】
上記目的を達成する為に、本発明は、コンバータレンズを有する撮像装置において、表示装置を有し、交換式レンズを着脱可能に保持するマウント部を有し、特定のＦ値より前記交換式レンズのＦ値を下げるときに、前記表示装置に周辺光量が不足しない範囲を周辺光量枠により表示し、前記周辺光量枠の内側にある被写体を検出する被写体検出部を有し、被写体検出部の検出結果により前記被写体を囲うように表示する被写体枠を前記表示装置に表示し、前記被写体枠の枠線が前記周辺光量枠の枠線を越えたときに、前記交換式レンズのＦ値を上げ、前記周辺光量枠を拡大することを特徴とする。
【発明の効果】
【００１０】
本発明によれば、コンバータレンズを備えたレンズ交換式の撮像装置において、できる限り低いＦ値で動画撮影しつつ、周辺光量落ちによる見難い動画の撮影を防止することができる。
【図面の簡単な説明】
【００１１】
【図１】本発明の実施形態に係る撮像装置１の交換レンズ２を取り付けた状態の外観斜視図である。
【図２】本発明の実施形態に係る撮像装置１の交換レンズ２を外した状態の外観斜視図である。
【図３】本発明の実施形態に係る撮像装置１の構成を示すブロック図である。
【図４】本発明の実施形態に係る撮像装置１の制限Ｆ値解除モードの処理を示すフローチャートである。
【図５】本発明の実施形態に係る撮像装置１の制限Ｆ値解除モードの表示形態を示す図である。
【発明を実施するための形態】
【００１２】
以下に、本発明の実施形態を添付の図を基に詳細に説明する。尚、実施形態の説明において、撮像装置１の光軸方向で被写体側を前方、撮影者側を後方と表現する。
【００１３】
図１及び図２は、本発明の実施の形態に係る撮像装置１の外観斜視図である。特に図１（ａ）は撮像装置１を上面の被写体側より見た外観斜視図であり、図１（ｂ）は上面の撮影者側より見た外観斜視図である。図２は交換レンズ２を外した状態の撮像装置１の外観斜視図である。
【００１４】
撮像装置１は、レンズ交換式のデジタルビデオカメラとして構成されている。図１及び図２に示すように、撮像装置１は交換レンズ２を着脱できるレンズマウント部１０１を有する。また図２に示すように、レンズマウント部１０１の後方の本体内部には、被者体より入射した光線を縮小するためのコンバータレンズ１０２を有する。図示していないが更にその後方には、コンバータレンズ１０２を透過した光線を受光する撮像素子１１０を有する。
【００１５】
撮像装置１を被写体側から見て左側には電源ボタン１２０、ＲＥＣボタン１２１がある。電源ＯＦＦ状態より電源ボタン１２０を押しこむと電源がＯＮ状態となり、撮影可能な状態となる。電源がＯＮ状態となると撮影のスルー画が撮像装置１の撮影者側に設置されたパネルユニット１３０の表示パネル１３１に表示される。また、パネルユニット１３０には表示パネル１３１の撮影者側に透明なタッチパネルを備えているため様々な操作が行うことができる。撮像装置１の被写体側から見て左側には、回転ダイヤル１２２があり、回転ダイヤル１２２を回転操作することにより設定Ｆ値を変更することができる。 また左側にはモード選択ダイヤル１２３があり、回転操作することにより撮影モードの変更を行うことができる。
【００１６】
撮像装置１においては、コンバータレンズ１０２にて約０．６５倍に光線を縮小し、約１３．２ｍｍ×約８．８ｍｍの１Ｉｎｃｈ型サイズの撮像素子１１０に結像する構成となっている。撮像装置１では約２２．４ｍｍ×約１５．０ｍｍのＡＰＳ−Ｃサイズの撮像素子に適した焦点距離のレンズが使用できる。しかし、撮像素子１１０は１Ｉｎｃｈ型サイズのため、コンバータレンズ１０２を使用しなければ交換レンズ２の中心部の光線しか使用しないことになる。この場合、画角がＡＰＳ−Ｃサイズの撮像素子搭載のカメラに比べ画角が非常に狭く、撮影し難いものとなってしまう。そこで、撮像装置１ではコンバータレンズ１０２により、約０．６５倍に縮小した光線を結像させることにより、ＡＰＳ−Ｃサイズの撮像素子を搭載したカメラに近い画角で撮影することが可能である。
【００１７】
また、交換レンズ２とコンバータレンズ１０２を合わせた光学系の焦点距離は、交換レンズ２単体の焦点距離に約０．６５倍を掛けた焦点距離となる。それに伴い、これらを合わせた光学系のＦ値も交換レンズ２単体のＦ値に約０．６５倍をかけたＦ値となる。そのため、コンバータレンズ１０２を搭載しないカメラに比べて、明るく撮影することが可能となる。つまり、暗い撮影環境の中でも、ＩＳＯ感度を低く設定できノイズを抑えた撮影が可能となる等のメリットがある。
【００１８】
しかし、交換レンズ２とコンバータレンズ１０２を合わせた光学系のＦ値が約０．６５倍と低くなるということは、撮像素子１１０の周辺部に入射する光線の入射角度が鋭角になる。撮像素子１１０上に配列されたフォトダイオードは特定の範囲の角度から入射する光線は光電変換できるが、特定の範囲の外から入射する光線は光電変換し難い特性がある。そのため、入射角度が鋭角になる撮像素子１１０の周辺部は暗い映像となってしまう。
【００１９】
いわゆる周辺光量落ちを起こしてしまう。また、交換レンズ２において絞りの解放側、つまりＦ値の低い側では、レンズの周辺部より入射した光線は常にレンズの端部を通過する為、交換レンズ２内部のけられによる周辺光量落ちを起こしやすい特性を有している。以上の２つの理由により、コンバータレンズ１０２を有する撮像装置１においてのＦ値が低い状態での撮影では、周辺光量落ちを起こしやすいと言える。撮像装置１では周辺光量補正を行う処理を行うが、撮像装置１に交換レンズ２を取り付けた状態では、交換レンズ２単体のＦ値がＦ２．０未満で補整しきれない周辺光量落ちを起こしてしまう。
【００２０】
低いＦ値の撮影でも、周辺光量落ちを起こさない範囲に被写体を捕えて撮影を行えば特に問題なく動画撮影を行える。しかし、動画撮影中に被写体が移動する等して被写体が周辺光量落ちを起こす範囲にかかってしまうと、被写体の一部が暗くなってしまい見難い動画が撮影されてしまう。
【００２１】
そこで、本発明の実施形態に係る撮像装置１では後述する制御を行うことにより、できる限り低いＦ値の状態で、このような見難い動画が撮影されてしまうことを防止することができる。
【００２２】
図３は本発明の実施形態に係る撮像装置１の構成を示すブロック図である。撮像装置１は電源ボタン１２０を操作することにより、電源スイッチ３０１が押し込まれ、その信号が制御ＩＣ３５１に送られ、撮像装置１の電源がＯＮされスタンバイ状態となる。この状態においてＲＥＣボタン１２１を押し込むと、ＲＥＣスイッチ３０２がこの操作を検知して、ＲＥＣが開始され、デジタル映像データの記録部１４０への書き込みが始まる。この状態で再度ＲＥＣボタン１２１を押し込むと、ＲＥＣが終了されスタンバイ状態に戻り、デジタル映像データの記録部１４０への書き込みが終了する。
【００２３】
撮像装置１においては、交換レンズ２とデータ通信を行う電子接点部１０３を有する。電子接点部１０３により、交換レンズ２への電力の送信や、交換レンズ２からレンズ識別情報を受信したり、交換レンズ２へのオートフォーカスやＦ値の制御信号の送信等のデータ通信を行う。交換レンズ２が装着された状態で撮像装置１の電源がＯＮされたときは、まず電子接点部１０３を通して、交換レンズ２に電力が供給される。電力が供給された交換レンズ２は、交換レンズ２のレンズ識別情報を撮像装置１に送る制御となっている。
【００２４】
電子接点部１０３より受信したレンズ識別情報は制御ＩＣ３５１に送られる。この情報を受信した制御ＩＣ３５１は、プログラムメモリ部３１１にあらかじめ格納されているレンズ識別情報群の中から同等のレンズ識別情報を見つけ出す。同等のレンズ識別情報を見つけ出したら、プログラムメモリ部３１１の中からレンズ識別情報に紐付いた制限Ｆ値の情報を制御ＩＣ３５１は受信する。この制限Ｆ値の情報とはコンバータレンズ１０２を備えた撮像装置１が周辺光量補正後に撮影範囲全域で周辺光量落ちを起こさないＦ値の一番低いＦ値の情報である。制限Ｆ値の情報を受信した制御ＩＣ３５１は制限Ｆ値以上に設定する制御信号を電子接点部１０３を通して、交換レンズ２に送りＦ値の制御を行う。
【００２５】
Ｆ値は回転ダイヤル１２２を操作することにより変更できる。スタンバイ状態やＲＥＣ中に回転ダイヤル１２２を回すと、その操作を回転ダイヤル検出スイッチ３０３は検知する。回転ダイヤル検出スイッチ３０３はその信号を制御ＩＣ３５１に送り、制御ＩＣ３５１は制限Ｆ値以上のＦ値の範囲で、回転ダイヤル１２２の回転量に応じたＦ値の変更を行うことができる。
【００２６】
交換レンズ２及びコンバータレンズ１０２を透過し結像した被写体像は、撮像素子１１０によって電気信号に変換される。変換された信号は、メイン基板３１０の制御部３５０に入力される。制御部３５０は、撮像素子１１０から送られる信号電荷を輝度信号及び色信号のデジタル映像データに変換する画像処理部３５２と、ＣＰＵである制御ＩＣ３５１と、揮発性メモリーであるワークメモリ部３５３により構成される。
【００２７】
制御ＩＣ３５１はレンズ識別情報に紐付いた周辺光量補整データをプログラムメモリ部３１１から受信し、その周辺光量補整データを画像処理部３５２に送る。画像処理部３５２は周辺光量補整データを基に、撮像素子１１０より送られた電気信号に周辺光量補整を行い、その後デジタル映像データに変換する。変換されたデジタル映像データは、ワークメモリ部３５３に一時的に記録され、制御ＩＣ３５１の制御によって、記録部１４０へと記録される。
【００２８】
デジタル映像データは、画像処理部３５２からパネルユニット１３０にあるパネル画像処理部１３２にも送られる。送られたデジタル映像データは表示パネル１３１で表示するためのフォーマットに変換され、表示パネル１３１にて撮影のスルー画として表示される。また、あらかじめプログラムメモリ部３１１に格納されている各種アイコン表示を表示パネル１３１に表示することも可能である。
【００２９】
撮影環境が暗い状況でもノイズを抑えて撮影したい場合に、制限Ｆ値より低いＦ値で撮影を行うことができる制限Ｆ値解除モードが撮像装置１にはある。モード選択ダイヤル１２３を回転させ、制限Ｆ値解除モードに合わせると、モード選択ダイヤル検出スイッチ３０４はその操作を検知し、信号を制御ＩＣ３５１へ送る。信号を受信した制御ＩＣ３５１は、回転ダイヤル１２２の回転操作により、制限Ｆ値より低い設定Ｆ値を選択できるようになる。
【００３０】
回転ダイヤル１２２の操作により制限Ｆ値より低い設定Ｆ値を選択した場合、制御ＩＣ３５１はレンズ識別情報に紐付き、設定Ｆ値に対応した周辺光量補整範囲情報をプログラムメモリ部３１１から受信する。周辺光量補整範囲情報とは周辺光量補整後に周辺光量落ちが目立たない範囲の情報であり、この範囲の外は周辺光量補整を行っても周辺光量落ちが補整しきれない範囲となる。
【００３１】
周辺光量補整範囲情報を受信した制御ＩＣ３５１はその情報をパネル画像処理部１３２に送信する。パネル画像処理部１３２は表示パネル１３１用のフォーマットに変換された画像に、周辺光量補整範囲情報を基に作成した約矩形の周辺光量補正枠５００を重ねて、表示パネル１３１に表示する。また、周辺光量補正枠５００の表示形態に関しては後述する。
【００３２】
スタンバイ状態のときに撮影者はタッチパネル操作により、周辺光量補正枠５００の内側にある被写体をタッチすることで、制御ＩＣ３５１に被写体を認識させることができる。タッチパネル部１３３はタッチパネルのこの操作を受けて、信号を制御ＩＣ３５１に送る。その信号を受信した制御ＩＣ３５１は被写体を認識し、その情報をパネル画像処理部１３２に送る。パネル画像処理部１３２は表示パネル１３１用のフォーマットに変換された画像に、被写体を約矩形で囲った被写体枠５０１と、前述した周辺光量補正枠５００を重ねて、表示パネル１３１に表示する。また、被写体枠５０１の表示形態に関しては後述する。
【００３３】
この状態よりＲＥＣを開始すると周辺光量補正枠５００の内側に被写体枠５０１がある状態では、設定Ｆ値のまま撮影を行う。しかし、ＲＥＣ中に被写体が撮影範囲の周辺方向に移動する等して、被写体枠５０１の枠線が周辺光量補正枠５００の枠線を越えるとする。そうなると、制御ＩＣ３５１はプログラムメモリ部３１１から レンズ識別情報に紐付いた周辺光量補整範囲情報の設定Ｆ値よりも高いＦ値のものの中から、周辺光量補正枠５００を被写体枠５０１が越えないＦ値の周辺光量補整範囲情報を探し、そのＦ値に変更する。
【００３４】
交換レンズ２の一般的な特性上Ｆ値を上げれば、それに伴い周辺光量落ちの程度も良くなり、周辺光量補正枠５００が広くなる。そのため、制御ＩＣ３５１は現在のＦ値より順に高いＦ値の周辺光量補整範囲情報を探す制御となっている。現在のＦ値を上げる処理のみを行うと、撮影される映像は暗くなってしまう。そこで制御ＩＣ３５１は、周辺光量補正枠５００のＦ値を変える前と同じ映像の明るさを保つためにＦ値を変えた分のＩＳＯ感度を上げる処理を行う。
【００３５】
逆に、この状態よりＲＥＣ中に被写体が撮影範囲の中心方向に移動する等して、周辺光量補正枠５００の内側に被写体枠５０１が有り、尚且つ周辺光量補正枠５００の枠線と被写体枠５０１の枠線の距離が離れるとする。その場合は設定Ｆ値より現在のＦ値が高いときに限り、設定Ｆ値より高いＦ値のものの中から、制御ＩＣ３５１は被写体枠５０１と周辺光量補正枠５００が一定距離を保つＦ値の周辺光量補整範囲情報を探し、そのＦ値に変更する。その処理を行った場合も周辺光量補正枠５００の内側の映像の明るさを保つために、制御ＩＣ３５１は、Ｆ値を変えた分のＩＳＯ感度を下げる処理を行う。また、設定Ｆ値は適宜回転ダイヤル１２２の操作により変更することができる。
【００３６】
この制御を行うことにより、ＲＥＣしたい被写体が周辺光量落ちを起こす部分にかかり被写体の一部が暗くなってしまう等の見難い動画が撮影されることを防ぐことができる。
【００３７】
図４は本発明の実施形態に係る撮像装置１の制限Ｆ値解除モードに設定した時の処理を示すフローチャートである。撮影者がモード選択ダイヤル１２３を制限Ｆ値解除モードに設定すると、この処理が実行される。図４で示すように、まずステップＳ１０１で、回転ダイヤル１２２の操作により、制限Ｆ値より設定Ｆ値が下げられているか否かを判断する。設定Ｆ値が制限Ｆ値以上であれば、ステップＳ１０３に進み、繰返し処理により予め周辺光量補正枠５００を表示していた場合は周辺光量補正枠５００を消す処理をしステップＳ１０４に進む。
【００３８】
設定Ｆ値が制限Ｆ値より低ければ、ステップＳ１０２に進み、装着されている交換レンズ２の現在のＦ値に応じた周辺光量補正枠５００を表示パネル１３１に表示し、ステップＳ１０４に進む。ステップＳ１０４ではスタンバイ状態か否かを判断する。スタンバイ状態であればステップＳ１０５に進み、スタンバイ状態でなければステップＳ１０５とステップＳ１０６を飛ばしてステップＳ１０７に進む。ステップＳ１０５では被写体を認識したか否かを判断する。撮像装置１では、スタンバイ状態のときにタッチパネル操作にて、被写体を認識させることができる。
【００３９】
被写体の認識を行っていればステップＳ１０６に進んで被写体枠５０１の表示を行いステップＳ１０７に進む。被写体の認識を行っていなければステップＳ１０６を飛ばしてステップＳ１０７に進む。
【００４０】
ステップＳ１０７ではＲＥＣ中であるか否かを判断し、ＲＥＣ中であればステップＳ１０８に進み周辺光量補正枠５００と被写体枠５０１の位置関係を判断する処理を行う。また、ＲＥＣ中でなければ、ステップＳ１１３に進む。
【００４１】
ステップＳ１０８は周辺光量補正枠５００と被写体枠５０１の位置関係を調べる処理である。周辺光量補正枠５００の内側に被写体枠５０１があれば、ステップＳ１１０に進む。しかし、被写体枠５０１の枠線が周辺光量補正枠５００の枠線を僅かにでも越えたり、処理が追いつかずに周辺光量補正枠５００の外に被写体枠５０１が大きく出てしまっている場合はステップＳ１０９に進む。ステップＳ１０９はＦ値の刻み幅の最小単位分だけＦ値を上げ、それに対応した１サイズ大きい周辺光量補正枠５００の表示に切り替えてステップＳ１０８に戻る処理である。
【００４２】
このとき周辺光量補正枠５００の内側の映像の明るさを保つために、Ｆ値を変えた分のＩＳＯ感度を上げる処理も行う。ステップＳ１０８とステップＳ１０９の処理を繰り返すことにより、周辺光量補正枠５００の内側に被写体枠５０１が収まる大きさまで、周辺光量補正枠５００を拡大する。その後ステップＳ１１０に進む。
【００４３】
ステップＳ１１０では、ステップＳ１０９の処理により、撮影者が設定した設定Ｆ値より、現在のＦ値が高くなっていることがあるので、設定Ｆ値より現在のＦ値が高いか否かを判断する処理である。設定Ｆ値と現在のＦ値が同じであればステップＳ１１３に進む。しかし、設定Ｆ値が現在のＦ値より高ければステップＳ１１１に進む。ステップＳ１１１においても、前述したステップＳ１０８と同様の周辺光量補正枠５００ と被写体枠５０１の位置関係を調べる処理である。
【００４４】
しかし、ステップＳ１１１の処理では被写体が撮影範囲の中心方向に移動した等で周辺光量補正枠５００と被写体枠５０１の枠線が一定距離以上離れているか否かを判断する処理である。周辺光量補正枠５００と被写体枠５０１の枠線が一定距離以上離れていればステップＳ１１２に進み、離れていなければステップＳ１１３に進む。
【００４５】
ステップＳ１１２はＦ値の刻み幅の最小単位分だけＦ値を下げ、それに対応した１サイズ小さい周辺光量補正枠５００の表示に切り替えてステップＳ１１０に戻る処理である。このとき周辺光量補正枠５００の内側の映像の明るさを保つために、Ｆ値を変えた分のＩＳＯ感度を下げる処理も行う。ステップＳ１１０とステップＳ１１１とステップＳ１１２の処理を繰り返すことにより、周辺光量補正枠５００と被写体枠５０１の枠線の距離が一定距離になるまで、設定Ｆ値以上のＦ値の範囲で周辺光量補正枠５００を縮小する。その後ステップＳ１１３に進む。
【００４６】
最後にステップＳ１１３の処理で、制限Ｆ値解除モードの設定がされているか否かを確認し、制限Ｆ値解除モードが設定されたままであれば、ステップＳ１０１に戻り前述した処理を繰返し、この撮影モードが設定されていなければ、この処理は終了となる。
【００４７】
次に、制限Ｆ値解除モードの表示形態に関して説明する。図５は本発明の実施形態に係る撮像装置１の表示パネル１３１への表示形態を示す図である。図５（ａ）は制限Ｆ値解除モードのスタンバイ状態の表示形態の図ある。図５（ｂ）は制限Ｆ値解除モードのＲＥＣ中に被写体が撮影範囲の周辺方向に移動しつつあるときの表示形態の変化を示す図であり、図５（ｃ）は被写体が撮影範囲の周辺方向に移動後、停止した状態を示す図である。図５（ｄ）は制限Ｆ値解除モードのＲＥＣ中に被写体が撮影範囲の中心方向に移動するときの表示形態を示す図である。
【００４８】
制限Ｆ値解除モードの表示パネル１３１の表示においては図５（ａ）に示す通り、右上に現在のモードを表示し、制限Ｆ値解除モードであることを示す制限Ｆ値解除表示５０２が表示される。左上にはスタンバイ状態であることを示す、スタンバイ表示５０３が表示される。表示の左下には現在のＦ値である現在Ｆ値表示５０４と、カッコ書きで設定Ｆ値である設定Ｆ値表示５０５が表示される。
【００４９】
また、現在Ｆ値表示５０４、設定Ｆ値表示５０５共に表示されているＦ値は交換レンズ２とコンバータレンズを合わせた光学系のＦ値ではなく、交換レンズ２単体のＦ値の表示を行っている。制限Ｆ値解除モードにおいて、回転ダイヤル１２２の操作で制限Ｆ値より低い設定Ｆ値が入力されると約矩形の周辺光量補正枠５００が表示される。この状態より、周辺光量補正枠５００の内側にある被写体をタッチパネル操作により被写体を認識させると、被写体枠５０１が表示される。
【００５０】
図５（ａ）の状態よりＲＥＣボタン１２１を押し、ＲＥＣ中に被写体が中心部から周辺方向に移動しつつある状態を示す表示形態の図が図５（ｂ）である。図５（ｂ）で示す通り、左上の現在の撮影状況を示す表示がＲＥＣ表示５０６に変わる。図５（ｂ）は特に被写体が中心部から徐々に撮影範囲の周辺方向に移動し、被写体枠５０１の枠線が周辺光量補正枠５００の枠線を僅かに越える状態を示している。前述した処理により被写体の移動に伴い、現在のＦ値が上がり枠線を越えないように周辺光量補正枠５００を拡大する処理を行う。
【００５１】
図５（ｃ）は図５（ｂ）の状態より被写体が更に撮影範囲の周辺方向に移動し、その後被写体が停止した図である。図５（ｃ）で示す通り被写体の移動に伴い、被写体枠５０１の枠線が周辺光量補正枠５００の枠線を越えないＦ値まで周辺光量補正枠５００を拡大する処理を行う。すると、図５（ｃ）で示す通り設定Ｆ値表示５０５と現在Ｆ値表示５０４とで示すＦ値が異なってくる。
【００５２】
次に、図５（ｄ）は被写体が図５（ｃ）の状態より撮影範囲の中心方向に移動し、停止した状態を示す表示形態の図である。被写体が中心部に移動し周辺光量補正枠５００と被写体枠５０１が一定距離以上離れる。そうなると、前述した処理により現在のＦ値が低くなり枠線の距離が一定の距離になるまで周辺光量補正枠５００を縮小するか、現在のＦ値と設定Ｆ値が一致するまで周辺光量補正枠５００を縮小する。図５（ｄ）は現在のＦ値と設定Ｆ値が一致せず、周辺光量補正枠５００と被写体枠５０１が一定距離を保っている図である。
【００５３】
これまで説明してきた通りに、これらの制御により周辺光量落ちを起こす制限Ｆ値より低いＦ値で動画撮影を行っても特定の被写体が周辺光量落ちにより一部暗くなってしまう等の見難い動画が撮影されてしまうことを防止することができる。
【００５４】
以上、本発明の好ましい実施形態について説明したが、本発明はこれらの実施形態に限られず、その要旨の範囲内で種々の変形及び変更が可能である。
【符号の説明】
【００５５】
１ ・・・・ 撮像装置
２ ・・・・ 交換レンズ
１０２ ・・・・ コンバータレンズ
１１０ ・・・・ 撮像素子
１２１ ・・・・ ＲＥＣボタン
１２２ ・・・・ 回転ダイヤル
１２３ ・・・・ モード選択ダイヤル
１３１ ・・・・ 表示パネル
１３２ ・・・・ パネル画像処理部
１３３ ・・・・ タッチパネル部
３５１ ・・・・ 制御ＩＣ
３５２ ・・・・ 画像処理部
５００ ・・・・ 周辺光量補正枠
５０１ ・・・・ 被写体枠
【図１】
2019023682.tif 000003
【図２】
2019023682.tif 000004
【図３】
2019023682.tif 000005
【図４】
2019023682.tif 000006
【図５】
2019023682.tif 000007